(57)【要約】      （修正有）【課題】構造が単純で、欄間の形状や取り付け位置の制限が少なく、且つ、脱着作業が簡単である仏壇の欄間脱着構造を提供する。【解決手段】仏壇１は、仏壇本体１０と、仏壇本体１０に対して脱着可能な欄間３０を有する。仏壇本体１０と欄間３０の一方は磁石６０を備えており、他方は、磁石６０の磁力によって磁石６０に吸着される磁性金属等からなる吸着部８０を備える。磁石６０と吸着部８０を介して仏壇本体１０に対して欄間３０を脱着可能に取り付ける脱着構造は、構造が単純であり、欄間３０の寸法や形状、取付位置に対する制限が少ない。また、磁力によって引き合う磁石６０と吸着部８０を接触させるだけで欄間３０を取り付けることができるので、脱着作業が容易である。【選択図】図６
0003222181.tif 000002
【実用新案登録請求の範囲】
【請求項１】
仏壇本体および欄間を備える仏壇の欄間脱着構造であって、
仏壇本体と欄間のいずれか一方は磁石を備え、他方は前記磁石の磁力によって前記磁石に吸着される吸着部を備え、
前記磁石と前記吸着部を介して、前記欄間が前記仏壇本体に脱着可能に取り付けられることを特徴とする仏壇の欄間脱着構造。
【請求項２】
前記仏壇本体と前記欄間とを連結する落下防止用補助部材を有することを特徴とする請求項１に記載の仏壇の欄間脱着構造。
【請求項３】
前記仏壇本体は、前記落下防止用補助部材を係合可能な係合部を備え、
前記係合部は、荘厳具を取り付け可能であることを特徴とする請求項２に記載の仏壇の欄間脱着構造。
【考案の詳細な説明】
【技術分野】
【０００１】
本考案は、仏壇本体の前面上部に取り付けられる欄間の脱着構造に関する。
【背景技術】
【０００２】
仏壇は一般的に箱形であり、仏壇の前面は前方に開放されるか、もしくは開閉式の扉を備えている。仏壇の前面上部の縁には、欄間（欄間用材）が取り付けられる。近年では仏壇のデザインも多様化しており、各種のデザインの欄間が用いられる。希望に合った欄間を取り付けることで、仏壇の雰囲気を希望に合うものにすることができる。例えば、豪華な彫刻を施した欄間を取り付けることにより、高級感や荘厳さを出すことができる。あるいは、シンプルなデザインの欄間を取り付けることにより、シンプルで現代的な雰囲気を出すことができる。特許文献１には、仏壇本体に対して欄間（欄間用材）が脱着可能になっており、使用者の好みや状況に合わせて欄間を交換可能な仏壇が記載されている。
【先行技術文献】
【特許文献】
【０００３】
【特許文献１】実開平１−１５００８４号公報
【考案の概要】
【考案が解決しようとする課題】
【０００４】
特許文献１には、仏壇本体に対して欄間（欄間用材）を脱着可能に取り付ける構造として、以下のような構造が提案されている。第１の脱着構造は、仏壇本体の天井面を構成する上板と、上板の下側に取り付けられた長押との間に欄間用材を取り付ける構造である。欄間用材の上端は上板に形成された溝に嵌め込まれ、欄間用材の下端は長押に形成された溝に落とし込まれる。上板に形成された溝の上端まで欄間用材を持ち上げると、長押に形成された溝から欄間用材の下端が外れるので、欄間用材を脱着することができる。また、第２の脱着構造は、仏壇本体の前面左右に配置される柱に切り欠き部を形成し、切り欠き部に欄間用材の両端を載せて爪部材によって欄間用材の端部を押さえる構造である。さらに、第３の脱着構造は、仏壇本体の上板下面に沿って横木を取り付け、横木前端に形成した係合溝と、欄間用材の上端に形成した係合溝とを係合させて欄間用材を取り付ける構造である。
【０００５】
このように、特許文献１には、仏壇本体に対して欄間（欄間用材）を脱着可能に取り付けるための各種の脱着構造が提案されている。しかしながら、これらの脱着構造は、いずれも、複雑な形状の溝や凹凸を形成しなければならないので、加工に手間がかかる。また、欄間の取付位置は凹凸形状が係合する位置に限定されるため、取付位置をずらすことが困難である。さらに、欄間の形状や寸法を変更することが困難であるという問題もある。加えて、凹凸形状を正確に係合させる必要があるため、精密な係合作業が必要であり、脱着作業が面倒である。
【０００６】
本考案の課題は、これらの点に鑑みて、仏壇本体に対して欄間を脱着可能にした仏壇において、複雑な形状の加工を行う必要がなく、且つ、欄間の形状や取り付け位置の制限が少なく、脱着作業が簡単な欄間の脱着構造を提案することにある。
【課題を解決するための手段】
【０００７】
上記の課題を解決するために、本考案は、仏壇本体および欄間を備える仏壇の欄間脱着構造であって、前記仏壇本体と前記欄間のいずれか一方は磁石を備え、他方は前記磁石の磁力によって前記磁石に吸着される吸着部を備え、前記磁石と前記吸着部を介して、前記
欄間が前記仏壇本体に脱着可能に取り付けられることを特徴とする。
【０００８】
本考案では、磁石と吸着部との間に作用する吸着力（磁力）を利用して、仏壇本体に対して欄間が脱着可能に取り付けられる。吸着部は、例えば、磁石であってもよいし、鉄などの磁石に付く磁性体であってもよい。このように、磁石によって部材を吸着する構造は、磁石と吸着部を対向する位置に取り付けるだけでよいため、溝や凹凸などの係合構造を設ける必要がない。従って、複雑な形状の加工を行う必要がない。また、欄間の寸法や形状、取付位置に対する制限が少ない。従って、欄間のバリエーションを増やすことができる。あるいは、複数の種類の仏壇で欄間の共通化を図ることもできる。さらに、磁石と吸着部を接触させるだけで取り付けが完了するので、脱着作業が容易である。
【０００９】
本考案において、前記仏壇本体と前記欄間とを連結する落下防止用補助部材を有することが望ましい。例えば、ワイヤー、チェーンなどの落下防止用補助部材を用いて仏壇本体と欄間とを連結することができる。このようにすると、衝撃などによって磁石から吸着部が外れたとしても、落下防止用補助部材によって仏壇本体と欄間とが繋がっているので、欄間の落下を防止できる。従って、欄間に傷が付くことを防止できる。また、落下した欄間が下の物品に当たることを防止できるので、仏壇内の物品および仏壇本体に傷が付くことを防止できる。
【００１０】
本考案において、前記仏壇本体は、前記落下防止用補助部材を係合可能な係合部を備え、前記係合部は、荘厳具を取り付け可能であることが望ましい。このように、落下防止用補助部材と荘厳具とを共通の係合部に取り付けた場合、別々に係合部を設ける必要がない。従って、係合部の数を削減でき、係合部を取り付ける手間も少なくて済む。
【考案の効果】
【００１１】
本考案によれば、磁石と吸着部との間に作用する吸着力（磁力）を利用して、仏壇本体に対して欄間が脱着可能に取り付けられるため、溝や凹凸などの係合構造を設ける必要がない。従って、複雑な形状の加工を行う必要がない。また、欄間の寸法や形状、取付位置に対する制限が少ない。従って、欄間のバリエーションを増やすことができる。あるいは、複数の種類の仏壇で欄間の共通化を図ることもできる。さらに、磁石と吸着部を接触させるだけで取り付けが完了するので、脱着作業が容易である。
【図面の簡単な説明】
【００１２】
【図１】本考案を適用した仏壇の正面図である。
【図２】図１の仏壇の縦断面図および横断面図である。
【図３】扉および欄間を取り外した仏壇本体を下側から見た部分斜視図およびその部分断面図である。
【図４】欄間の斜視図および断面図である。
【図５】磁石と吸着部によって欄間を仏壇本体に取り付けた状態を側方から見た説明図である。
【図６】落下防止用補助部材によって仏壇本体から欄間が吊り下げられた状態を前方から見た説明図である。
【図７】他の欄間と交換した状態を示す仏壇の正面図である。
【図８】変形例１の磁石および吸着部の説明図である。
【図９】変形例２の磁石および吸着部の取付構造を示す断面図である。
【図１０】変形例３の欄間および落下防止用補助部材の説明図である。
【考案を実施するための形態】
【００１３】
以下に、図面を参照して、本考案を適用した仏壇の欄間脱着構造の実施形態を説明する。
【００１４】
（仏壇の全体構成）
図１は本考案を適用した仏壇の正面図であり、図１（ａ）は扉を閉じた状態の正面図、図１（ｂ）は扉を省略した状態の正面図である。また、図２は図１の仏壇の縦断面図および横断面図であり、図２（ａ）は図１（ａ）のＡ−Ａ線で切断した縦断面図、図２（ｂ）は図１（ａ）のＢ−Ｂ線で切断した横断面図である。本明細書において、ＸＹＺの３方向は互いに直交する方向であり、Ｘ方向は仏壇１の幅方向、Ｙ方向は仏壇１の奥行方向（前後方向）、Ｚ方向は仏壇１の上下方向である。また、仏壇１の前方をＹ１、後方をＹ２とし、仏壇１の上方をＺ１、下方をＺ２とする。
【００１５】
図１、図２に示すように、仏壇１は、全体として上下方向Ｚに長い箱形である。なお、仏壇１の形状は縦長に限定されるものではなく、横長であってもよい。仏壇１は、仏壇本体１０と、仏壇本体１０の前面側を開閉する扉２０と、扉２０を開けた仏壇本体１０の前面上部に脱着可能に取り付けられる欄間３０と、仏壇本体１０の内部空間に設けられる内部構造体４０を備える。また、図１において点線で示すように、仏壇１は、欄間３０の後方に吊り下げられる荘厳具５０を備えていてもよい。仏壇本体１０は、底板１１と、底板１１の後端から上方Ｚ１へ立ち上がる背板１２と、底板１１の幅方向Ｘの両側の縁から上方Ｚ１へ立ち上がる左右一対の側板１３、１４と、背板１２および側板１３、１４の上端に接続され底板１１の上方を覆う上板１５を備える。
【００１６】
図１（ａ）に示すように、扉２０は、図示しない蝶番を介して側板１３、１４に取り付けられた左側扉２１および右側扉２２を備える。左側扉２１および右側扉２２は、仏壇本体１０の幅方向Ｘの中央を基準として左右対称に構成されており、観音開きに開閉される。左側扉２１および右側扉２２には、それぞれ、上下方向Ｚに延びる指掛け部２３が設けられている。指掛け部２３の下側部分は、下方Ｚ２に向かうに従って幅方向Ｘの外側へ湾曲する湾曲形状である。指掛け部２３は段差状であり、指掛け部２３の幅方向Ｘの内側と外側は異なる色になっている。このため、仏壇１の前面には、扉２０を閉じた状態で、合掌した手をイメージさせる末広がりの八の字ラインが形成される。指掛け部２３に指を掛けて左側扉２１および右側扉２２を前方Ｙ１に引くことにより、扉２０を手動で開閉することができる。
【００１７】
内部構造体４０は、仏壇本体１０の内部空間を上下に仕切る中段板４１と、中段板４１の上に重なった状態で配置される上段板４２と、中段板４１の幅方向の両端を支持する支持部材４３、４４と、中段板４１の下側に配置される膳引き４５等を備える。図２（ｂ）に示すように、中段板４１の前端縁は、幅方向Ｘの中央が後方Ｙ２に凹むように湾曲する湾曲形状である。一方、上段板４２の前端縁は中段板４１よりも後方Ｙ２に後退した位置にあり、上段板４２の幅方向Ｘの中央には、前方Ｙ１に突出する半円状の突出部が設けられている。膳引き４５の前端縁は中段板４１よりも前方Ｙ１に位置し、幅方向Ｘに直線状に延びている。図１（ｂ）、図２（ａ）に示すように、膳引き４５と底板１１との間には、引き出し４６が取り付けられている。引き出し４６の幅方向Ｘの中央には末広がりの八の字ラインの指掛け部が形成されている。
【００１８】
図２（ａ）に示すように、上段板４２の後方Ｙ２には、背板１２の幅方向Ｘの中央に位置する後背板４７が設けられている。仏壇本体１０の内部空間において、後背板４７は、上段板４２の後方Ｙ２から上方Ｚ１へ延びている。後背板４７の左右の側端縁には、それぞれ、上下方向Ｚに延在する縦枠４８が設けられている。後背板４７の上端は上板１５まで延びている。図２（ａ）、図３（ａ）に示すように、後背板４７の前方Ｙ１には、上板１５の下側面より一段下がった下がり天井１６が設けられている。下がり天井１６の中央にはダウンライト１７が取り付けられている。下がり天井１６の前端には、上板１５から下方Ｚ２に突出する前板１８が取り付けられている。前板１８の前端面は前方Ｙ１に突出
する湾曲状である（図３（ａ）参照）。前板１８は、ダウンライト１７を前方Ｙ１から覆う目隠しとして機能する。なお、扉２０の形態や、仏壇本体１０の内部空間に設けられる構造は上記のようなものに限定されず、適宜変更可能である。
【００１９】
（欄間の脱着構造）
図３（ａ）は、扉２０および欄間３０を取り外した仏壇本体１０を下方Ｚ２から見た部分斜視図であり、図３（ｂ）は仏壇本体１０における磁石６０の取付位置を切断した部分断面図（図３（ａ）のＣ−Ｃ断面図）である。図３（ａ）に示すように、上板１５の下側面には、上板１５の前端縁よりわずかに後方Ｙ２の位置で幅方向Ｘに延びる上枠１９が取り付けられている。上板１５の前端縁は側板１３、１４の前端面よりも前方Ｙ１に張り出している。上枠１９の前端面は、側板１３、１４の前端面よりわずかに後方Ｙ２、あるいは、側板１３、１４の前端面と略同一面上に位置する。
【００２０】
上板１５の下側面において、上枠１９の後方Ｙ２には、幅方向Ｘに離れた２箇所に磁石６０が取り付けられている。磁石６０は、仏壇本体１０の幅方向Ｘの中央から等距離の２箇所に配置されている。本形態の磁石６０はネオジウム磁石である。なお、磁石６０はネオジウム磁石のような強力なものが望ましいが、他の種類の磁石であってもよい。磁石６０は上下方向Ｚの厚さが一定であり、上下方向Ｚに見た場合に円形の外形をしている。磁石６０は固定ねじ６１によって上板１５にねじ止めされている。図３（ｂ）に示すように、磁石６０の中央に形成されたねじ孔６５には、固定ねじ６１の頭部６２を収容する座ぐり部が形成されている。従って、磁石６０の下端面６３よりも下方Ｚ２に固定ねじ６１の頭部６２が突出することがないように取り付けられる。
【００２１】
図３（ａ）に示すように、上板１５の下側面において、磁石６０よりもさらに後方Ｙ２には、幅方向Ｘに離れた２箇所に係合部７０が設けられている。係合部７０は、仏壇本体１０の幅方向Ｘの中央から等距離の２箇所に配置される。本形態では、係合部７０として、一端にねじ部が形成された金具（ヒートン）が用いられる。この金具のねじ部を上板１５にねじ止めすることにより、金具の他端に形成された環状部分７０ａが上板１５から下側に突出した状態になっている。これら２箇所の係合部７０のそれぞれには、後述する落下防止用補助部材７１（図５参照）の一端が係合する。落下防止用補助部材７１は、仏壇本体１０と欄間３０とを連結してその落下を防止するための部材である。
【００２２】
図４は欄間３０の斜視図および断面図であり、図４（ａ）は斜め上側前方から見た欄間３０の斜視図であり、図４（ｂ）は欄間３０における吸着部８０の取付位置を切断した断面図（図４（ａ）のＤ−Ｄ断面図）である。欄間３０は、幅方向Ｘに長い直線状の部材である。欄間３０の長さ（幅方向Ｘの寸法）は、仏壇本体１０の間口寸法（側板１３、１４の内法寸法）に合わせて決められる。欄間３０は略矩形断面の部材であり、装飾用の彫刻や仕上げが施された装飾面３１を備える。本形態では、装飾面３１に幅方向Ｘに延びる溝状の凹凸模様が施されているが、装飾面３１の形状や仕上げは様々な形態にすることができる。欄間３０は、装飾面３１が前方Ｙ１を向くように仏壇本体１０に取り付けられる。また、欄間３０は、装飾面３１と反対側（後方Ｙ２）を向く裏側面３３を備える。本形態の欄間３０には、裏側面３３にも装飾面３１と同様の溝状の凹凸模様が形成されている。なお、裏側面３３の形状や仕上げを装飾面３１と異なる形態にすることもできる。この場合には、裏側面３３と装飾面３１のどちらを前方Ｙ１に向けるかによって仏壇１の雰囲気が変わるため、１本の欄間３０で仏壇１の雰囲気を変えることができる。
【００２３】
欄間３０は、装飾面３１を前方Ｙ１に向けたときに上方Ｚ１を向く上面３２を備える。上面３２は平面であり、上板１５と対向する。欄間３０の上面３２には、上板１５に取り付けられた磁石６０と対向する位置に吸着部８０が取り付けられている。吸着部８０は、欄間３０の幅方向Ｘの中央から等距離の２箇所に配置されている。また、２箇所の吸着部
８０は、それぞれ、上面３２の前後方向Ｙの中央に配置されている。吸着部８０は、磁力によって磁石６０に吸着される素材からなる。例えば、本形態では、吸着部８０として、鉄などの磁性金属からなる座金を用いる。吸着部８０は上下方向Ｚの厚さが一定であり、上下方向Ｚに見た場合に円形の外形をしている。吸着部８０は磁石６０と略同一径であり、固定ねじ８１によって欄間３０の上面３２にねじ止めされている。図５（ｂ）に示すように、固定ねじ８１の頭部８２は、吸着部８０である座金の上端面８３と略同一位置、もしくは上端面８３よりも下方Ｚ２に位置する。
【００２４】
図４（ａ）に示すように、欄間３０の上面３２には、上述した落下防止用補助部材７１の他端を係合するための係合部７２が２箇所に取り付けられる。係合部７２は、欄間３０の上面３２の後方Ｙ２側の縁において、幅方向Ｘに離れた２箇所に取り付けられる。各係合部７２は、上述した仏壇本体１０側の係合部７０の前方Ｙ１に位置する。本形態では、係合部７２として、欄間３０の上面３２にねじ止めされる金具を用いる。金具の後端には、上下方向Ｚに揺動可能な略三角形の枠状部分７２ａが設けられている。
【００２５】
図５は、磁石６０と吸着部８０によって欄間３０を仏壇本体１０に取り付けた状態を側方から見た説明図である。欄間３０は、磁石６０と吸着部８０を介して仏壇本体１０に脱着可能に取り付けられる。すなわち、磁石６０の下端面６３と吸着部８０の上端面８３とを密着させると、磁石６０と吸着部８０との間に作用する吸着力（磁気吸引力）によって欄間３０が保持される。本形態では、磁石６０と吸着部８０がそれぞれ、上板１５および欄間３０の表面から突出しているため、欄間３０と上板１５との間に磁石６０および吸着部８０の厚さ分の隙間が形成される。しかしながら、上板１５の前端縁には上枠１９が取り付けられているので、磁石６０と吸着部８０が配置される隙間は、上枠１９に隠れて前方Ｙ１からは見えないようになっている（図１（ｂ）参照）。
【００２６】
図５に示すように、欄間３０の後方Ｙ２には、上述した欄間３０側の係合部７２の枠状部分７２ａと、仏壇本体１０側の係合部７０の環状部分７０ａとが前後方向Ｙに間隔を空けて配置されている。欄間３０は、磁石６０と吸着部８０を介して仏壇本体１０に脱着可能に取り付けられるだけでなく、係合部７０と係合部７２との間に架け渡された落下防止用補助部材７１によって仏壇本体１０に連結される。
【００２７】
落下防止用補助部材７１は、連結環７１ａと、連結環７１ａに通されたフック付き金具７１ｂ、７１ｃを備える。落下防止用補助部材７１は、これらの３部材が一列に連結された状態で、係合部７０と係合部７２との間に架け渡されている。より詳しく述べると、連結環７１ａから斜め上向き後方に向けて延ばしたフック付き金具７１ｃを係合部７０の環状部分７０ａに係合させ、連結環７１ａから前方Ｙ１に向けて延ばしたフック付き金具７１ｂを係合部７２の枠状部分７２ａに係合させることにより、係合部７０、７２の間に落下防止用補助部材７１が架け渡される。
【００２８】
本形態では、仏壇本体１０の係合部７０は、図５において点線で示すように、瓔珞などの荘厳具５０を掛ける部材として兼用することができる。荘厳具５０の上端にはチェーンなどの連結部材５１が連結されている。係合部７０に連結部材５１の上端を係合させると、荘厳具５０が上板１５から吊り下げられる。係合部７０は２箇所に設けられているので、荘厳具５０は後背板４７の前方Ｙ１の空間の左右両側において、１つずつ左右対称に吊り下げられる（図１（ｂ）参照）。
【００２９】
図６は、落下防止用補助部材７１によって仏壇本体１０から欄間３０が吊り下げられた状態を前方Ｙ１から見た説明図である。仏壇本体１０に衝撃や振動が加わって磁石６０から吸着部８０が離れたとしても、本形態では、落下防止用補助部材７１によって仏壇本体１０と欄間３０が連結されているので、いきなり欄間３０が落下することはなく、図６に
示すように、仏壇本体１０から欄間３０が吊り下げられた状態で欄間３０が保持される。本形態では、係合部７０、７２は幅方向Ｘに離れた２箇所に設けられ、落下防止用補助部材７１は、２箇所のそれぞれに１本ずつ架け渡されている。このため、図６に示すように、欄間３０は上下方向Ｚに傾くことはなく、水平な状態で仏壇本体１０の上板１５から吊り下げられる。
【００３０】
仏壇本体１０に対する欄間３０の脱着作業は、以下のようにして行う。まず、仏壇本体１０に対して欄間３０を取り付ける際には、最初に磁石６０と吸着部８０とを当接させて磁力のみで欄間３０を保持させる。しかる後に、落下防止用補助部材７１によって欄間３０と仏壇本体１０とを連結する。例えば、仏壇本体１０の係合部７０に落下防止用補助部材７１を係合させ、係合部７０から吊り下げられた２本の落下防止用補助部材７１の下端に欄間３０の係合部７２を係合させる。あるいは、欄間３０の係合部７２に係合させた２本の落下防止用補助部材７１の上端を持ち上げて、仏壇本体１０の係合部７０に係合させる。欄間３０を仏壇本体１０から取り外す際には、この逆の手順で行えばよい。
【００３１】
図７は他の欄間１３０と交換した状態を示す仏壇１の正面図である。図７に示す欄間１３０は、幅方向Ｘの一端が下方Ｚ２に張り出した形状であり、張り出した部分に職人の手彫りによる家紋などの彫刻が施されている。このように、デザインの異なる欄間１３０に交換することで、仏壇１の雰囲気が大きく変わることがわかる。
【００３２】
（本形態の主な作用効果）
以上のように、本形態の仏壇１は、仏壇本体１０と、仏壇本体１０に対して脱着可能な欄間３０と、を有し、仏壇本体１０と欄間３０の一方（本形態では、仏壇本体１０）は、磁石６０を備えており、仏壇本体１０と欄間３０の他方（本形態では、欄間３０）は、磁石６０の磁力によって磁石６０に吸着される吸着部８０を備える。このように、磁石６０と吸着部８０との間に作用する吸着力を利用して、仏壇本体１０に対して欄間３０が脱着可能に取り付けられる構造は、磁石６０と吸着部８０を対向する位置に取り付けるだけでよいため、溝や凹凸などの係合構造を設ける場合と比較して、仏壇本体１０および欄間３０の形状を単純にすることができる。従って、加工コストが少なくて済む。
【００３３】
また、磁石６０による脱着構造は、欄間３０の寸法や形状、取付位置に対する制限が少ない。例えば、欄間３０の長さ（幅方向Ｘの寸法）については仏壇本体１０の間口寸法に合わせる必要はあるものの、欄間３０の前後方向Ｙの寸法（奥行寸法）、上下方向Ｚの寸法（高さ）についての制限は少ない。従って、欄間３０のバリエーションを増やすことが容易である。また、異なる仏壇に対して共通の欄間３０を使用することができ、複数の種類の仏壇で欄間３０の共通化を図ることができる。さらに、磁力によって引き合う磁石６０と吸着部８０を接触させるだけで欄間３０を取り付けることができるので、部材同士を係合させるなどの精密な作業が不要であり、脱着作業が容易である。
【００３４】
なお、磁石６０と吸着部８０は、２組でなく１組あるいは３組以上であってもよい。また、磁石６０と吸着部８０の取付位置は、上記形態の位置に限定されるものではなく、適宜変更可能である。さらに、上記形態では、仏壇本体１０に磁石６０が設けられ、欄間３０に吸着部８０が設けられているが、仏壇本体１０に吸着部８０が設けられ、欄間３０に磁石６０が設けられていてもよい。但し、部材コストを考えた場合、交換部品である欄間３０に高価な磁石６０を取り付けるよりも、仏壇本体１０に磁石６０を取り付け、欄間３０には吸着部８０として座金などの安価な部材を取り付けることが望ましい。なお、吸着部８０として磁石６０と同じ部材を用いること（すなわち、仏壇本体１０と欄間３０の両方に磁石６０を取り付けること）も可能である。また、磁石６０と吸着部８０の形状は円形以外の形状でもよい。例えば、矩形や多角形でもよい。また、固定ねじによる固定ではなく、接着剤による固定などの他の固定方法を用いてもよい。
【００３５】
本形態の仏壇１は、仏壇本体１０と欄間３０とを連結する落下防止用補助部材７１を有する。落下防止用補助部材７１は、上記のような形態の他、ワイヤー、チェーンなどを用いた各種の形態のものを用いることができる。また、落下防止用補助部材７１の両端に設けられるフックの形状は適宜変更可能であり、係合部７０、７２として用いられる金具の形状も、フック状の金具を係合できるものであれば上記と異なる形状でも良い。
【００３６】
落下防止用補助部材７１を用いて仏壇本体１０と欄間３０とを連結することにより、衝撃などによって磁石６０から吸着部８０が外れたとしても、落下防止用補助部材７１によって仏壇本体１０と欄間３０とが繋がっているので、欄間３０の落下を防止することができる。従って、落下により欄間３０と仏壇本体１０の両方に傷が付くことを防止できる。また、落下した欄間３０に当たった物品に傷が付くことを防止できる。また、上記形態では、２本の落下防止用補助部材７１によってバランス良く欄間３０を吊り下げることができるため、落下時に欄間３０の姿勢が大きく変化しない。従って、欄間３０が側板１３、１４や内部構造体４０に衝突して傷が付くおそれが少ない。なお、落下防止用補助部材７１の本数は２本に限定されるものではなく、１本あるいは３本以上であってもよい。
【００３７】
なお、係合部７０、７２および落下防止用補助部材７１を省略した構成にしてもよい。例えば、欄間３０が高価なものである場合にのみ、係合部７０、７２および落下防止用補助部材７１を用いて落下防止を図るように構成してもよい。ここで、係合部７０、７２および落下防止用補助部材７１を省略する場合には、欄間３０を前後方向Ｙに裏返して取り付けることが可能である。すなわち、上記形態では後方Ｙ２を向いていた裏側面３３を前方Ｙ１に向けて欄間３０を取り付けることができる。例えば、装飾面３１に傷などが付いてしまった場合に、裏側面３３を前方Ｙ１に向けて欄間３０を取り付けることができる。また、装飾面３１と裏側面３３に異なる模様を施せば、１つの欄間３０を２通りの雰囲気で使用することができる。
【００３８】
本形態では、仏壇本体１０に落下防止用補助部材７１を係合する係合部７０が設けられているが、この係合部７０は、荘厳具５０を掛ける部材として兼用することができる。このように、落下防止用補助部材７１と荘厳具５０とを共通の係合部７０に取り付ければ、別々に係合部を設ける必要がない。従って、部材点数を削減できるとともに、部材を取り付ける手間が少なくて済む。なお、荘厳具５０を掛ける部材を係合部７０とは別に設けてもよいし、荘厳具５０を省略してもよいことは勿論である。
【００３９】
（変形例）
（１）図８は、変形例１の磁石１６０の説明図であり、変形例１の磁石１６０を取り付けた上板１５を下側から見た図である。図８に示すように、変形例１の磁石１６０は、前後方向Ｙに長い長方形である。このように、前後方向Ｙに長い磁石１６０を用いれば、欄間３０の取付位置を前後方向Ｙ（奥行方向）にずらすことができる。また、前後方向Ｙに長い磁石１６０を用いた場合、欄間３０の前後方向Ｙ（奥行方向）の寸法が変わった場合に、磁石１６０の位置を変更しなくても吸着部８０と磁石１６０とを対向させることができる。従って、様々な形状の欄間３０を着脱可能な欄間脱着構造を実現できる。
【００４０】
同様に、前後方向Ｙに長い長方形の吸着部を欄間３０に取り付けてもよい。あるいは、前後方向Ｙに長い部材を用いる代わりに、複数の座金を前後方向Ｙに複数個並べて取り付けてもよい。あるいは、吸着部として、欄間３０の上面３２と略同一形状、あるいは欄間３０の上面３２よりも一回り小さい金属板を欄間３０の上面３２に取り付けた構造を採用することもできる。
【００４１】
（２）図９は、変形例２の磁石６０および吸着部８０の取付構造を示す断面図である。上
記形態では、磁石６０および吸着部８０が仏壇本体１０の上板１５および欄間３０の上面３２から突出するように取り付けられていたが、図９に示すように、上板１５に凹部６４を形成して磁石６０を嵌め込むとともに、欄間３０に凹部８４を形成して吸着部８０を嵌め込んでも良い。このようにすれば、欄間３０を取り付けた状態で、上板１５と欄間３０との隙間を小さくすることができる。例えば、図９に示すように、上板１５と欄間３０との隙間がほとんどない状態を実現できる。このようにすれば、磁石６０と吸着部８０が前方Ｙ１から見えないため、外観性が良い。また、磁石６０と吸着部８０を隠す部材（上枠１９）を取り付ける必要がない。
【００４２】
（３）図１０は、変形例３の欄間２３０および落下防止用補助部材２７１の説明図である。変形例３の欄間２３０は、装飾面２３１および裏側面２３３がいずれも平面である。落下防止用補助部材２７１を連結するための係合部２７２として用いられる金具は、欄間２３０の上面２３２でなく、裏側面２３３に固定されている。係合部２７２は、上記形態と同様に、上下方向Ｚに揺動可能な略三角形の枠状部分２７２ａを備える。また、変形例３の落下防止用補助部材２７１は、チェーン２７１ａおよびフック付き金具２７１ｃを備える。チェーン２７１ａの一端は、欄間２３０に固定された金具（係合部２７２）の枠状部分２７２ａに連結される。チェーン２７１ａの他端には、フック付き金具２７１ｃが連結されている。仏壇本体１０に対して、変形例３の欄間２３０を取り付ける際には、フック付き金具２７１ｃを仏壇本体１０側の連結環７１ａに係合させることにより、仏壇本体１０と欄間２３０とを落下防止用補助部材２７１によって連結する。変形例３の落下防止用補助部材２７１は、チェーン２７１ａの長さが長いため、欄間２３０の脱着作業を容易に行うことができる。
【符号の説明】
【００４３】
１…仏壇、１０…仏壇本体、１１…底板、１２…背板、１３、１４…側板、１５…上板、１６…下がり天井、１７…ダウンライト、１８…前板、１９…上枠、２０…扉、２１…左側扉、２２…右側扉、２３…指掛け部、３０…欄間、３１…装飾面、３２…上面、３３…裏側面、４０…内部構造体、４１…中段板、４２…上段板、４３、４４…支持部材、４５…膳引き、４６…引き出し、４７…後背板、４８…縦枠、５０…荘厳具、５１…連結部材、６０…磁石、６１…固定ねじ、６２…頭部、６３…下端面、６４…凹部、６５…ねじ孔、７０…係合部、７０ａ…環状部分、７１…落下防止用補助部材、７１ａ…連結環、７１ｂ、７１ｃ…フック付き金具、７２…係合部、７２ａ…枠状部分、８０…吸着部、８１…固定ねじ、８２…頭部、８３…上端面、８４…凹部、１３０…欄間、１６０…磁石、２３０…欄間、２３１…装飾面、２３２…上面、２３３…裏側面、２７１…落下防止用補助部材、２７１ａ…チェーン、２７１ｃ…フック付き金具、２７２…係合部、２７２ａ…枠状部分、Ｘ…幅方向、Ｙ…前後方向、Ｚ…上下方向、Ｚ１…上方、Ｚ２…下方、Ｙ１…前方、Ｙ２…後方
【図１】
0003222181.tif 000003
【図２】
0003222181.tif 000004
【図３】
0003222181.tif 000005
【図４】
0003222181.tif 000006
【図５】
0003222181.tif 000007
【図６】
0003222181.tif 000008
【図７】
0003222181.tif 000009
【図８】
0003222181.tif 000010
【図９】
0003222181.tif 000011
【図１０】
0003222181.tif 000012
【手続補正書】
【提出日】平成31年4月2日(2019.4.2)
【手続補正１】
【補正対象書類名】実用新案登録請求の範囲
【補正対象項目名】請求項２
【補正方法】変更
【補正の内容】
【請求項２】
前記仏壇本体と前記欄間とを連結する落下防止用補助部材を有し、
前記落下防止用補助部材は、２つのフック付き金具を連結環に通して一列に連結した部材、あるいは、チェーンの一端にフック付き金具を連結した部材であることを特徴とする請求項１に記載の仏壇の欄間脱着構造。
【手続補正２】
【補正対象書類名】実用新案登録請求の範囲
【補正対象項目名】請求項３
【補正方法】変更
【補正の内容】
【請求項３】
前記仏壇本体には、前記仏壇本体の上板から下側へ突出する環状部分を備えた金具が取り付けられ、
前記環状部分には、前記落下防止用部材の一端が係合し、且つ、前記環状部分から、荘厳具を吊り下げ可能であることを特徴とする請求項２に記載の仏壇の欄間脱着構造。
【手続補正３】
【補正対象書類名】明細書
【補正対象項目名】０００９
【補正方法】変更
【補正の内容】
【０００９】
本考案において、前記仏壇本体と前記欄間とを連結する落下防止用補助部材を有し、前記落下防止用補助部材は、２つのフック付き金具を連結環に通して一列に連結した部材、あるいは、チェーンの一端にフック付き金具を連結した部材であることが望ましい。このようにすると、衝撃などによって磁石から吸着部が外れたとしても、落下防止用補助部材によって仏壇本体と欄間とが繋がっているので、欄間の落下を防止できる。従って、欄間に傷が付くことを防止できる。また、落下した欄間が下の物品に当たることを防止できるので、仏壇内の物品に傷が付くことを防止できる。
【手続補正４】
【補正対象書類名】明細書
【補正対象項目名】００１０
【補正方法】変更
【補正の内容】
【００１０】
本考案において、前記仏壇本体には、前記仏壇本体の上板から下側へ突出する環状部分を備えた金具が取り付けられ、前記環状部分には、前記落下防止用部材の一端が係合し、且つ、前記環状部分から、荘厳具を吊り下げ可能であることが望ましい。このように、落下防止用補助部材と荘厳具とを共通の金具に取り付けた場合、別々に金具を設ける必要がない。従って、金具の数を削減でき、金具を取り付ける手間も少なくて済む。
【手続補正書】
【提出日】令和1年5月14日(2019.5.14)
【手続補正１】
【補正対象書類名】実用新案登録請求の範囲
【補正対象項目名】請求項３
【補正方法】変更
【補正の内容】
【請求項３】
前記仏壇本体には、前記仏壇本体の上板から下側へ突出する環状部分を備えた金具が取り付けられ、
前記環状部分には、前記落下防止用補助部材の一端が係合し、且つ、前記環状部分から、荘厳具を吊り下げ可能であることを特徴とする請求項２に記載の仏壇の欄間脱着構造。
【手続補正２】
【補正対象書類名】明細書
【補正対象項目名】００１０
【補正方法】変更
【補正の内容】
【００１０】
本考案において、前記仏壇本体には、前記仏壇本体の上板から下側へ突出する環状部分を備えた金具が取り付けられ、前記環状部分には、前記落下防止用補助部材の一端が係合し、且つ、前記環状部分から、荘厳具を吊り下げ可能であることが望ましい。このように、落下防止用補助部材と荘厳具とを共通の金具に取り付けた場合、別々に金具を設ける必要がない。従って、金具の数を削減でき、金具を取り付ける手間も少なくて済む。